【手続補正書】
【提出日】平成19年8月2日(2007.8.2)
【手続補正１】
【補正対象書類名】明細書
【補正対象項目名】発明の名称
【補正方法】変更
【補正の内容】
【発明の名称】情報処理装置及び情報処理方法及び携帯端末装置及び携帯端末情報処理方法及び記録再生装置及び記録再生方法
【手続補正２】
【補正対象書類名】明細書
【補正対象項目名】特許請求の範囲
【補正方法】変更
【補正の内容】
【特許請求の範囲】
【請求項１】
コンテンツ情報を蓄積することができるデータベースを管理するコンテンツ管理手段と、
該データベースに蓄積されているコンテンツ情報を電子機器に無線通信により伝達することができる伝達手段と、
前記電子機器の制御に基づいて、コンテンツを記録再生する機能を有する機器を制御する制御手段と
からなる情報処理装置。
【請求項２】
前記電子機器は、携帯端末機であること
を特徴とする請求項１に記載の情報処理装置。
【請求項３】
前記携帯端末機は、プライベートな機器であること
を特徴とする請求項２に記載の情報処理装置。
【請求項４】
前記コンテンツを記録再生する機能を有する機器は、オーディオ機器及び又はビデオ機器であること
を特徴とする請求項１に記載の情報処理装置。
【請求項５】
前記無線通信は、スペクトル拡散通信方式に基づくことを特徴とする請求項１に記載の情報処理装置。
【請求項６】
前記電子機器の無線通信は、公衆回線を利用した通信と近距離無線通信とを適宜切り替えることができるようにしたこと
を特徴とする請求項１に記載の情報処理装置。
【請求項７】
前記近距離無線通信は、Ｂｌｕｅｔｏｏｔｈ方式に基づくことを特徴とする請求項６に記載の情報処理装置。
【請求項８】
前記近距離無線通信は、赤外線通信方式に基づくことを特徴とする請求項６に記載の情報処理装置。
【請求項９】
前記コンテンツ管理手段は、ユーザ個人の趣向にあったコンテンツ情報を蓄積すること
を特徴とする請求項１に記載の情報処理装置。
【請求項１０】
コンテンツ情報を蓄積することができるデータベースを管理し、
前記データベースに蓄積されているコンテンツ情報を電子機器に無線通信により伝達し、
前記電子機器の制御に基づいて、コンテンツを記録再生する機能を有する機器を制御すること
を特徴とする情報処理方法。
【請求項１１】
コンテンツ情報が蓄積されているデータベースからコンテンツ情報を無線通信により取得する取得手段と、
該取得手段により得られたコンテンツ情報を表示するように制御する表示制御手段と、
コンテンツを記録再生する機能を有する機器を制御するコマンドを該機器の記録再生を制御するサーバに伝達するコマンド伝達手段と
からなる携帯端末装置。
【請求項１２】
前記コンテンツを記録再生する機能を有する機器は、オーディオ機器及び又はビデオ機器であることを特徴とする請求項１１に記載の携帯端末装置。
【請求項１３】
前記無線通信は、スペクトル拡散通信方式に基づくことを特徴とする請求項１１に記載の携帯端末装置。
【請求項１４】
前記無線通信は、公衆回線を利用した通信と近距離無線通信とを適宜切り替えることができるようにしたことを特徴とする請求項１１に記載の携帯端末装置。
【請求項１５】
前記近距離無線通信は、Ｂｌｕｅｔｏｏｔｈ方式に基づくことを特徴とする請求項１４に記載の携帯端末装置。
【請求項１６】
前記近距離無線通信は、赤外線通信方式に基づくことを特徴とする請求項１４に記載の携帯端末装置。
【請求項１７】
前記取得手段は、ユーザ個人の趣向にあったコンテンツ情報を取得することを特徴とする請求項１１に記載の携帯端末装置。
【請求項１８】
コンテンツ情報が蓄積されているデータベースからコンテンツ情報を無線通信により取得し、
前記無線通信により取得したコンテンツ情報を表示するように制御し、
コンテンツを記録再生する機能を有する機器を制御するコマンドを該機器の記録再生を制御するサーバに伝達すること
を特徴とする携帯端末情報処理方法。
【請求項１９】
コンテンツを受信し記録する記録装置において、
情報処理装置に接続され、携帯端末装置から前記情報処理装置を介して、選択され送られてきた記録再生を制御する制御信号を受信する受信手段と、
前記制御信号を基に、コンテンツを記録再生するように制御する制御手段と
からなる記録再生装置。
【請求項２０】
コンテンツを受信し記録する記録装置において、
情報処理装置に接続され、携帯端末装置から前記情報処理装置を介して、選択され送られてきた記録再生を制御する制御信号を受信し、
前記受信した制御信号を基に、コンテンツを記録再生するように制御することを特徴とする記録再生方法。
【手続補正３】
【補正対象書類名】明細書
【補正対象項目名】０００１
【補正方法】変更
【補正の内容】
【０００１】
【発明の属する技術分野】
本発明は、情報処理装置及び情報処理方法及び携帯端末装置及び携帯端末情報処理方法及び記録再生装置及び記録再生方法に関する。詳しくは、予めインターネットやデジタル放送で送出された番組情報（コンテンツ情報）がデータベースに蓄積して抽出することができることを前提として、その番組情報を個人毎に携帯端末に表示させ、その表示させた情報に応じてＡＶ機器を制御することにより、番組名を選んで再生したり録画予約する放送番組記録再生装置及び放送番組記録再生用携帯端末装置に関する。
【手続補正４】
【補正対象書類名】明細書
【補正対象項目名】０００８
【補正方法】変更
【補正の内容】
【０００８】
【課題を解決するための手段】
前記課題を解決するために、本発明に係る情報処理装置及び情報処理方法及び携帯端末装置及び携帯端末情報処理方法及び記録再生装置及び記録再生方法は次のような構成にすることである。
【手続補正５】
【補正対象書類名】明細書
【補正対象項目名】０００９
【補正方法】変更
【補正の内容】
【０００９】
（１）コンテンツ情報を蓄積することができるデータベースを管理するコンテンツ管理手段と、該データベースに蓄積されているコンテンツ情報を電子機器に無線通信により伝達することができる伝達手段と、前記電子機器の制御に基づいて、コンテンツを記録再生する機能を有する機器を制御する制御手段とからなる情報処理装置。
（２）前記電子機器は、携帯端末機であることを特徴とする（１）に記載の情報処理装置。
（３）前記携帯端末機は、プライベートな機器であることを特徴とする（２）に記載の情報処理装置。
（４）前記コンテンツを記録再生する機能を有する機器は、オーディオ機器及び又はビデオ機器であることを特徴とする（１）に記載の情報処理装置。
（５）前記無線通信は、スペクトル拡散通信方式に基づくことを特徴とする（１）に記載の情報処理装置。
（６）前記電子機器の無線通信は、公衆回線を利用した通信と近距離無線通信とを適宜切り替えることができるようにしたことを特徴とする（１）に記載の情報処理装置。
（７）前記近距離無線通信は、Ｂｌｕｅｔｏｏｔｈ方式に基づくことを特徴とする（６）に記載の情報処理装置。
（８）前記近距離無線通信は、赤外線通信方式に基づくことを特徴とする（６）に記載の情報処理装置。
（９）前記コンテンツ管理手段は、ユーザ個人の趣向にあったコンテンツ情報を蓄積することを特徴とする（１）に記載の情報処理装置。
（１０）コンテンツ情報を蓄積することができるデータベースを管理し、前記データベースに蓄積されているコンテンツ情報を電子機器に無線通信により伝達し、前記電子機器の制御に基づいて、コンテンツを記録再生する機能を有する機器を制御することを特徴とする情報処理方法。
【手続補正６】
【補正対象書類名】明細書
【補正対象項目名】００１０
【補正方法】変更
【補正の内容】
【００１０】
（１１）コンテンツ情報が蓄積されているデータベースからコンテンツ情報を無線通信により取得する取得手段と、該取得手段により得られたコンテンツ情報を表示するように制御する表示制御手段と、コンテンツを記録再生する機能を有する機器を制御するコマンドを該機器の記録再生を制御するサーバに伝達するコマンド伝達手段とからなる携帯端末装置。
（１２）前記コンテンツを記録再生する機能を有する機器は、オーディオ機器及び又はビデオ機器であることを特徴とする（１１）に記載の携帯端末装置。
（１３）前記無線通信は、スペクトル拡散通信方式に基づくことを特徴とする（１１）に記載の携帯端末装置。
（１４）前記無線通信は、公衆回線を利用した通信と近距離無線通信とを適宜切り替えることができるようにしたことを特徴とする（１１）に記載の携帯端末装置。
（１５）前記近距離無線通信は、Ｂｌｕｅｔｏｏｔｈ方式に基づくことを特徴とする（１４）に記載の携帯端末装置。
（１６）前記近距離無線通信は、赤外線通信方式に基づくことを特徴とする（１４）に記載の携帯端末装置。
（１７）前記取得手段は、ユーザ個人の趣向にあったコンテンツ情報を取得することを特徴とする（１１）に記載の携帯端末装置。
（１８）コンテンツ情報が蓄積されているデータベースからコンテンツ情報を無線通信により取得し、前記無線通信により取得したコンテンツ情報を表示するように制御し、コンテンツを記録再生する機能を有する機器を制御するコマンドを該機器の記録再生を制御するサーバに伝達することを特徴とする携帯端末情報処理方法。
（１９）コンテンツを受信し記録する記録装置において、情報処理装置に接続され、携帯端末装置から前記情報処理装置を介して、選択され送られてきた記録再生を制御する制御信号を受信する受信手段と、前記制御信号を基に、コンテンツを記録再生するように制御する制御手段とからなる記録再生装置。
（２０）コンテンツを受信し記録する記録装置において、情報処理装置に接続され、携帯端末装置から前記情報処理装置を介して、選択され送られてきた記録再生を制御する制御信号を受信し、前記受信した制御信号を基に、コンテンツを記録再生するように制御することを特徴とする記録再生方法。
【手続補正７】
【補正対象書類名】明細書
【補正対象項目名】００１２
【補正方法】変更
【補正の内容】
【００１２】
【発明の実施の形態】
次に、本発明に係る情報処理装置及び情報処理方法及び携帯端末装置及び携帯端末情報処理方法及び記録再生装置及び記録再生方法の実施の形態を図面を参照して説明する。
【手続補正８】
【補正対象書類名】明細書
【補正対象項目名】００１３
【補正方法】変更
【補正の内容】
【００１３】
図１に示す装置構成図は、放送番組情報（コンテンツ情報）を蓄積することができるデータベースを備えたホームサーバ１００と、データベースに蓄積された放送番組情報を無線通信により受信する携帯端末２００と、放送番組を記録再生する機能を有する家電機器３００とから構成されている。この家電機器３００は、例えばＴｕｎｅｒ３０１や、ＨＤＤ３０２、ＶＣＲ３０３、ＴＶ３０４等から構成されている。